(57)【要約】【課題】情報処理装置において、バッテリパックを取り外すことなく、バッテリパックを取り外したことと同様の電源供給停止の状態を作る。【解決手段】バッテリパック５０と情報処理装置１本体との接続を検出してバッテリパック５０に接続情報(ローレベルの信号SYS_PRS)を出力する検出部４２と、接続情報(ローレベルの信号SYS_PRS)を取得したバッテリパック５０から電力（+VBATT）が供給される電源回路３１とを備える。さらに、ユーザによる操作が可能な操作子２０と、該操作子２０が操作されたとき、バッテリパック５０に未接続情報(ハイレベルの信号SYS_PRS)を出力し、検出部４２により接続を検出していても接続情報(ローレベルの信号SYS_PRS)の出力を停止する停止部４２とを備える。【選択図】図７
2012133467.tif 000002
【特許請求の範囲】
【請求項１】
バッテリパックと情報処理装置本体との接続を検出して前記バッテリパックに接続情報を出力する検出部と、
前記接続情報を取得した前記バッテリパックから電力が供給される電源回路と、
ユーザによる操作が可能な操作子と、
前記操作子が操作されたとき、前記バッテリパックに未接続情報を出力し、前記検出部により前記接続を検出していても前記接続情報の出力を停止する停止部と、
を備える情報処理装置。
【請求項２】
前記バッテリパックは、前記情報処理装置本体に設けられた凹空間に収納され、蓋で固定されている
請求項１に記載の情報処理装置。
【請求項３】
前記蓋は前記情報処理装置本体にビス留めされている
請求項２に記載の情報処理装置。
【請求項４】
前記凹空間に前記バッテリパック以外のデバイスが収納されている
請求項２に記載の情報処理装置。
【請求項５】
前記凹空間に前記バッテリパック、主記録装置、補助記憶装置が収納されている
請求項４に記載の情報処理装置。
【請求項６】
前記操作子に対する操作は前記情報処理装置本体に設けられた穴を通じて行われ、前記停止部は前記操作子が操作されている間のみ前記未接続情報の出力を行う
請求項２乃至５に記載の情報処理装置。
【請求項７】
バッテリパックと情報処理装置本体との接続を検出して前記バッテリパックに接続情報を出力する検出部と、
前記接続情報を取得した場合に情報処理装置本体に電力を供給するバッテリパックと、
ユーザによる操作が可能な操作子と、
前記操作子が操作されたとき、前記バッテリパックに未接続情報を出力し、前記検出部により前記接続を検出していても前記接続情報の出力を停止する停止部と、
を備える情報処理装置。
【発明の詳細な説明】
【技術分野】
【０００１】
本発明は、ノート型パーソナルコンピュータ等のバッテリパックを装着した情報処理装置に関する。
【背景技術】
【０００２】
ノート型パーソナルコンピュータはバッテリパックを容易に着脱できるものが主流である。一般に、ノート型パーソナルコンピュータの本体部の背面に、バッテリパックを着脱自在なバッテリ装着部が設けられている。バッテリパックは、ノート型パーソナルコンピュータの本体部の底面と略平行な方向に挿入されることで、バッテリパック装着部に装着される。バッテリパック装着部はコネクタを有しており、当該コネクタとバッテリパックが有するコネクタとを接続することで、ノート型パーソナルコンピュータの本体部とバッテリパックとの接続が行われる（例えば、特許文献１参照）。
【０００３】
上記のとおり、ノート型パーソナルコンピュータは、本体部（本体ユニット）に対して着脱自在なバッテリパックを備える。本体ユニットには、複数の電子部品等が実装されたプリント基板、放熱ユニット、ＨＤＤ又はＳＳＤ（Solid State Drive）といったドライブ類などが搭載されている。プリント基板には、ＣＰＵ（Central Processing Unit）、メモリ、その他の電子部品が実装されている。
【先行技術文献】
【特許文献】
【０００４】
【特許文献１】特開２０１０−１５７４４２号公報
【発明の概要】
【発明が解決しようとする課題】
【０００５】
ところで、ノート型パーソナルコンピュータが動作中にバッテリパックが外れると動作やデータの保全に支障が出る恐れがある。そこで、ノート型パーソナルコンピュータの本体部（本体ユニット）背面には、通常バッテリパックの着脱を安全に行うためのスライド操作部が設けられる。この本体部（本体ユニット）背面のスライド操作部を操作することで、本体部に対してバッテリパックを容易かつ確実に着脱することができる。それにより、本体部への電源供給を停止する必要がある場合に、バッテリパックを簡単に取り外して電源供給を停止できる。例えば、バッテリパックを簡単に取り外して、バッテリパック内のマイコン（マイクロコントローラ：microcontroller)を初期化したり、メモリの取り替えを安全に行ったりすることが可能になる。
【０００６】
ここで、ノート型パーソナルコンピュータの本体部背面の外観の美観を向上させる目的で、バッテリパック、ドライブ類、メモリ等を本体ユニット内部において近くに配置し、ビス留めされた蓋で覆って本体ユニットに搭載することを想定する。バッテリパック、ドライブ類、メモリ等をまとめて覆う蓋をビス留めした場合には、スライド操作部のためのスライド機構とそのスペースが必要なくなるので、本体部背面がすっきりして美観が向上する。しかし、バッテリパックの着脱の際には、ビス（雄ネジ）を外して本体ユニットから蓋を開ける必要があり、バッテリパックの円滑な取り外し及び再装着を困難にしていた。
【０００７】
本発明は、上記の状況に鑑みてなされたものであり、ノート型パーソナルコンピュータなどの情報処理装置において、バッテリパックを取り外すことなく、バッテリパックを取り外したことと同様の電源供給停止の状態を作れるようにする。
【課題を解決するための手段】
【０００８】
本発明では、押している間はバッテリパックを抜いた状態と同様の状態を実現する操作子を情報処理装置に設け、操作子を操作してバッテリパックによる電力供給を制御できるように構成する。具体的には以下のとおりである。
本発明の一側面の情報処理装置は、バッテリパックと情報処理装置本体との接続を検出してバッテリパックに接続情報を出力する検出部と、接続情報を取得したバッテリパックから電力が供給される電源回路とを備える。さらに、ユーザによる操作が可能な操作子と、該操作子が操作されたとき、バッテリパックに未接続情報を出力し、検出部により接続を検出していても接続情報の出力を停止する停止部とを備える。
【０００９】
上記構成によれば、バッテリパックと情報処理装置本体とが接続した状態において、情報処理装置に設けた操作子が操作されると、バッテリパックに未接続情報を出力し、バッテリパックから情報処理装置本体への電源の供給が停止される。
【発明の効果】
【００１０】
本発明によれば、情報処理装置からバッテリパックを取り外すことなく、バッテリパックを取り外したことと同様の効果を得ることができる。
【図面の簡単な説明】
【００１１】
【図１】本発明の一実施の形態における情報処理装置の裏面の蓋を付けた状態の斜視図である。
【図２】本発明の一実施の形態における情報処理装置の裏面の蓋を開けた状態の斜視図である。
【図３】本発明の一実施の形態における情報処理装置の裏面の蓋を付けた状態の平面図である。
【図４】本発明の一実施の形態における情報処理装置の裏面の蓋を開けた状態の平面図である。
【図５】本発明の一実施の形態における情報処理装置の裏面に形成された操作子用の穴付近を拡大した平面図である。
【図６】図５に示すＸ−Ｘ線における断面図である。
【図７】本発明の一実施の形態における情報処理装置の電源制御回路を示す回路図である。
【発明を実施するための形態】
【００１２】
以下、本発明を実施するための形態の例について、添付図面を参照しながら説明する。説明は下記の順で行う。本実施の形態では情報処理装置としてノート型パーソナルコンピュータを一例に挙げて説明する。なお、各図において共通の構成要素には、同一の符号を付して重複する説明を省略する。
・情報処理装置の外観
・操作子の構造
・電源制御回路の構成
・電源制御回路の動作
【００１３】
［情報処理装置の外観］
図１は、本発明の一実施の形態における情報処理装置の裏面の蓋を付けたところを下から見上げた状態の斜視図である。図２は、本発明の一実施の形態における情報処理装置の裏面の蓋を開けたところを下から見上げた状態の斜視図である。図３は、本発明の一実施の形態における情報処理装置の裏面の蓋を付けた状態の平面図である。図４は、本発明の一実施の形態における情報処理装置の裏面の蓋を開けた状態の平面図である。図３及び４において、下側はユーザから見て情報処理装置１の正面側、上側はユーザから見て情報処理装置１の背面側である。
【００１４】
情報処理装置１は、表示部２と、本体部３と、表示部２と本体部３とを連結するヒンジ（図示略）とを備えている。
【００１５】
表示部２は、ヒンジを介して本体部３に対して開閉可能である。表示部２は、情報を表示するための画面となる表示パネル（図示略）を有し、閉じた状態で表示パネルが本体部３に対面する。表示パネルに表示される情報は、本体部３に設けられた制御部の制御の元で、表示部２筐体内に設けられた表示処理を行う図示しない表示処理ユニットにより生成される。
【００１６】
本体部３は、本体部３の上面側の部分を構成する図示しないパームレストユニット（キーボードユニット）と、本体部３の底面側の部分を構成する本体ユニット４とを備える。本体部３は、パームレストユニットと本体ユニット４とが組み合わされて一体化される。
【００１７】
本体ユニット４には、複数の電子部品等が実装されたプリント基板、放熱ユニット、ハードディスクドライブなどのドライブ類などが搭載されている。プリント基板には、ＣＰＵ（Central Processing Unit）、メモリ、その他の電子部品が実装されている。
【００１８】
情報処理装置１は、本体部３（本体ユニット４）に対して着脱自在なバッテリパック（図示略）を備える。バッテリパックとしては、例えばリチウムイオンポリマーバッテリなどが用いられる。図２及び図４に示すように、情報処理装置１の本体部３（本体ユニット４）の裏側の背面近くには、バッテリパックの着脱が可能な凹空間１０が設けられている。凹空間１０は、バッテリ装着部１０ａと、ＨＤＤ装着部と、メモリ装着部に区分される。図２及び図４では、バッテリ装着部１０ａからバッテリパックが取り外され、ＨＤＤ装着部にＨＤＤ１２（補助記憶装置の一例）が、メモリ装着部にメモリ１３（主記録装置の一例）がそれぞれ装着された例を示している。
【００１９】
本体ユニット４の凹空間１０の縁の一部に係合穴１１ａ〜１１ｅが設けられている。係合穴１１ａ〜１１ｅに蓋５の不図示の係合突起を係合させて蓋５を凹空間１０の上にのせ、その状態でビス６ａ，６ｂ（図１及び図３参照）を締めてビス留めすることにより、本体ユニット４に蓋５を付ける（固定する）ことができる。本実施の形態では、バッテリパック、ＨＤＤ１２及びメモリ１３を凹空間１０に収納して一つの蓋５で覆い、ビス留めする。これにより、バッテリパック、ＨＤＤ１２及びメモリ１３を別々の空間に収納して複数の蓋で覆いビス留めすることと比較して、大きな蓋５が本体ユニット４の裏側の外装面の一部として見えるようになり、外観の美観が向上する。
【００２０】
なお、本実施の形態では、バッテリ等の修理・交換の際には蓋５を開けられるようにビス留めにより蓋５を固定しているが、ユーザの通常使用の場合に蓋５が容易に外れないように蓋５が固定されればこれに限らない。蓋５を本体ユニット４に固定する手段としては、例えば接着、溶着などが挙げられる。
【００２１】
本体ユニット４に形成した穴７は、ユーザが本体ユニット４に設けられた操作子を押す際に細い棒状の部材を挿入するためのものである。図５は、情報処理装置１の裏面の操作子用の穴７付近を拡大した平面図を示している。ビス８は、本体ユニット４をパームレストユニットと固定するためのものである。また本体ユニット４から蓋９を開けて情報処理装置１にドッキングステーション（機能拡張ユニット）を接続することにより、情報処理装置１の機能を拡張できるようにしている。
【００２２】
［操作子の構造］
次に、本体ユニット４内部に設けられた操作子の概要について説明する。
図６は、図５に示すＸ−Ｘ線における断面図である。情報処理装置１は、本体ユニット４の筐体と該本体ユニット４に搭載されたプリント基板２２との間に、操作子としてボタン２０を備える。ボタン２０は断面形状が下に凸形状のボタン本体２０ａを有し、ボタン本体２０ａとプリント基板２２との間には弾性部材２１ａ，２１ｂが設けられている。ユーザが細い棒状の部材を穴７に挿入してボタン本体２０ａの上面２０ｔを押して、ボタン本体２０ａの下面２０ｂがプリント基板２２の配線部等に接触しているときボタン２０がオンした状態になる。このボタン２０は、ユーザが細い棒状の部材をボタン本体２０ａから離すと、ボタン本体２０ａの下面２０ｂが弾性部材２１ａ，２１ｂの弾性力によってプリント基板２２の配線部等から離れる。
【００２３】
上述のように、ボタン２０は、穴７に細い棒状の部材を通して操作しなければならず、言わばボタン２０が隠されたような構造及び配置としてユーザが容易に操作できないようになっている。したがって、通常の使用においてユーザが誤ってボタン２０を操作することがなく、誤操作を防止できる。ボタン２０を押している間、後述する電源制御回路によりバッテリパックを抜いたことと同様の効果を得る。
【００２４】
なお、図６に示したボタン２０は操作子の一例であって、ユーザが操作子を操作したときにオンし、操作子を操作しないときはオフするものであって、ユーザが容易に操作できない構造や配置であればよい。
【００２５】
［電源制御回路の構成］
次に、図７を参照して、情報処理装置１が備える電源制御回路を説明する。
図７では、情報処理装置１のバッテリ装着部１０ａ（図２、図４参照）にバッテリパック５０が装着されている。また、情報処理装置１はＡＣアダプタ３８が接続され、商用電源より入力された交流電圧がＡＣアダプタ３８によって直流電圧に変換されて情報処理装置１に供給される。
【００２６】
情報処理装置１は、バッテリパック５０から入力される電力及びＡＣアダプタから入力される電力の制御と切り替え、バッテリパック５０との信号の送受信を行う電源制御回路３０を備えている。電源制御回路３０は、電源回路３１と、制御部３２と、ボタン２０と、ｎチャンネルＭＯＳＦＥＴ（Metal-Oxide-Semiconductor Field-Effect Transistor）４１，４２と、抵抗素子４３，４４と、容量素子４５とを備える。本実施の形態では、スイッチング素子の一例としてｎチャンネルＭＯＳＦＥＴ（以下、「ｎＭＯＳＦＥＴ」と称す）を用いているが、この例に限られない。電気的にオンとオフを切り替えられるものであればよく、他のトランジスタや他のスイッチング素子を用いることができる。
【００２７】
電源制御回路３０の電源回路３１の一の入力端子は、端子３７（電源端子）と接続し、その端子３７はＡＣアダプタ３８のプラグと接続している。また、電源回路３１の他の入力端子は端子３６と接続している。さらに、電源回路３１は抵抗素子４３を介してｎＭＯＳＦＥＴ４１のドレイン端子に接続しており、そのドレイン端子は制御部３２の入力端子と接続している。ｎＭＯＳＦＥＴ４１のソース端子は端子３５に接続している。また、ｎＭＯＳＦＥＴ４１のゲート端子は、抵抗素子４４を介して端子３３と接続するとともに、ボタン２０を介してグラウンドに接続している。ｎＭＯＳＦＥＴ４１のゲート端子は、さらにｎＭＯＳＦＥＴ４２のゲート端子に接続している。ｎＭＯＳＦＥＴ４２のゲート端子は容量素子４５を介してグラウンドに接続し、そのソース端子はグラウンドに直接接続している。ｎＭＯＳＦＥＴ４２のドレイン端子は、端子３４に接続している。
【００２８】
ｎＭＯＳＦＥＴ４１，４２（検出部、停止部の一例）のオン／オフの動作は、端子３３から入力される信号SYS_PRS_VR又はボタン２０のオン／オフにより制御される。端子３３から入力される信号SYS_PRS_VRは、情報処理装置１内部に保持されているＲＴＣバッテリを用いているため、バッテリパック５０およびＡＣアダプタ３８が未接続時でも信号SYS_PRS_VRの出力が可能である。抵抗素子４３，４４及び容量素子４５は、ｎＭＯＳＦＥＴ４１，４２の定格、信号SYS_PRS_VRや＋Ｖｃｃの値に応じて決定される。
【００２９】
バッテリパック５０は、バッテリ（図示略）を含む電源回路５１と、該電源回路５１と接続した制御回路５２を備える。制御回路５２は端子５３，５４と接続し、バッテリパック５０は端子５５と接続している。バッテリパック５０の端子５３，５４，５５はそれぞれ情報処理装置１の端子３４，３５，３６と一対一に接続している。端子３４，３５，３６はバッテリ装着部１０ａに配置されたコネクタ（図示略）に設けられ、端子５３，５４，５５はバッテリパック５０に配置されたコネクタに設けられる。情報処理装置１のコネクタとバッテリパック５０のコネクタを接続することで、端子３４，３５，３６と対応する端子５３，５４，５５が接続する。
【００３０】
電源制御回路３０の電源回路３１は、ＡＣアダプタ３８又はバッテリパック５０から供給される電力を利用して、電源制御回路３０に電力を供給したり、ＨＤＤ１２やプリント基板のメモリ１３等へ電力を供給したりする。また、端子３３に信号SYS_PRS_VRを供給する。この電源回路３１は、制御部３２の制御下で、ＡＣアダプタ３８又はバッテリパック５０から供給される電力の切り替えを行う。制御部３２は、電源制御回路３０を制御するブロックであり、例えばＥＣ（Embedded Controller）が用いられる。
【００３１】
例えば端子３６を通じてバッテリパック５０から電源回路３１へ電力+VBATTが供給されている場合、制御部３２は、バッテリパック５０からの電力を使用する。また、例えばＡＣアダプタ３８及びバッテリパック５０の双方から電力が供給されている場合、制御部３２は、ＡＣアダプタから供給された電力を使用するとともに、バッテリパック５０のバッテリを充電する。この電源回路３１におけるＡＣアダプタ３８からの電力とバッテリパック５０からの電力の切り替えの形態は一例であって、この例に限るものではない。
【００３２】
情報処理装置１の端子３４から出力される信号SYS_PRSは、情報処理装置１にバッテリパック５０を接続時、ゲート端子に信号SYS_PRS_VRが入力されたｎＭＯＳＦＥＴ４２によりローレベルに引かれる、すなわちほぼゼロレベルになる。それにより、バッテリパック５０の制御回路５２は、端子５３を通じてバッテリパック５０に情報処理装置１が接続されたことを検出する。なお、ロー（Low）レベルは０Ｖ、ハイ（High）レベル（ドレイン飽和電流に対する電圧）は例えば３．３Ｖである。
【００３３】
情報処理装置１の端子３５に入力される信号BATT_PRSは、情報処理装置１にバッテリパック５０を接続時、バッテリパック５０側のｎＭＯＳＦＥＴ４１によりローレベルに引かれる、すなわちほぼゼロレベルになる。それにより、情報処理装置１の制御部３２は、端子３５及びｎＭＯＳＦＥＴ４１を通じて、情報処理装置１にバッテリパック５０が接続されたことを検出する。
【００３４】
電力+VBATTは、バッテリパック５０の電源回路５１から情報処理装置１の電源回路３１へ出力される電力である。バッテリパック５０が情報処理装置１と接続しているときのみ電源回路５１から電力+VBATTが出力され、バッテリパック５０が未装着又はボタン２０がオン（ボタン本体２０ａを押下）しているときは出力されない。
【００３５】
［電源制御回路の動作］
バッテリパック５０を情報処理装置１に装着時、未装着時及びボタン２０を押下時のそれぞれの条件ごとに、電源制御回路３０の動作を説明する。
【００３６】
（バッテリパック５０を装着時）
まず、情報処理装置１にバッテリパック５０が装着されている場合を説明する。このとき、ＡＣアダプタ３８が情報処理装置１に接続していないものとする。
ｎＭＯＳＦＥＴ４１，４２のゲート端子に対し、端子３３及び抵抗素子４４を介して電源回路３１から信号SYS_PRS_VRが供給され、ｎＭＯＳＦＥＴ４１、４２がオンする。ｎＭＯＳＦＥＴ４２のオンによって情報処理装置１側の端子３４（バッテリパック５０側の端子５３）に流れる信号SYS_PRSがローレベルに引かれる。情報処理装置１にバッテリパック５０が装着されているときは、ローレベルの信号SYS_PRSは、バッテリパック５０に情報処理装置１が接続されていることを示す接続情報に相当する。
【００３７】
そして、バッテリパック５０の制御回路５２はこの接続情報により情報処理装置１が接続されたことを検出し、制御回路５２は電源回路５１に電力+VBATTを出力するよう制御信号を送る。電源回路５１は、その制御信号を受けて情報処理装置１へ電力+VBATTを出力する。また、バッテリパック５０側で、端子５４（情報処理装置１側の端子３５）に流れる信号BATT_PRSをローレベルに引くことにより、情報処理装置１の制御部３２は、バッテリパック５０が接続されたことを検出する。
【００３８】
（バッテリパック５０を未装着時）
次に、情報処理装置１にバッテリパック５０が未装着である場合を説明する。このとき、ＡＣアダプタ３８が情報処理装置１に接続しているものとする。
情報処理装置１にバッテリパック５０が未装着であるときは、バッテリパック５０と情報処理装置１が接続していないので、情報処理装置１の端子３４〜３６は開放状態である。ｎＭＯＳＦＥＴ４１，４２のゲート端子に対し、端子３３及び抵抗素子４４を介して信号SYS_PRS_VRを供給してｎＭＯＳＦＥＴがオンの状態でも、バッテリパック５０と情報処理装置１が接続していない。そのため、バッテリパック５０側の端子５３に流れる信号SYS_PRSがハイレベルとなる。ハイレベルの信号SYS_PRSは、バッテリパック５０に情報処理装置１が接続されていることを示す未接続情報に相当する。
【００３９】
そして、バッテリパック５０の制御回路５２は情報処理装置１が未接続であることを検出し、制御回路５２は電源回路５１に電力+VBATTを出力するための制御信号を出力しない。それにより、電源回路５１は、情報処理装置１へ電力+VBATTを出力しない。また、バッテリパック５０側で、端子５４（情報処理装置１側の端子３５）に流れる信号BATT_PRSをハイレベルにすることにより、情報処理装置１の制御部３２は、バッテリパック５０が未接続であることを検出する。
【００４０】
（ボタン２０を押下時）
次に、情報処理装置１裏面のボタン２０（図６参照）をユーザが押下した場合を説明する。このとき、情報処理装置１にバッテリパック５０が接続されており、ＡＣアダプタ３８は接続されていないものとする。
情報処理装置１裏面のボタン２０が押下されてオンしている間、ｎＭＯＳＦＥＴ４１，４２のゲート端子がグラウンドと接続する。これにより、ｎＭＯＳＦＥＴ４１，４２のゲート端子に対し、端子３３及び抵抗素子４４を介して電源回路３１から信号SYS_PRS_VRが入力されず、ｎＭＯＳＦＥＴ４２がオフする。ｎＭＯＳＦＥＴ４２のオフによって、情報処理装置１側の端子３４（バッテリパック５０側の端子５３）に流れる信号SYS_PRSがローレベルに引かれずハイレベルとなる。ハイレベルの信号SYS_PRSは、バッテリパック５０に情報処理装置１が接続されていることを示す未接続情報に相当する。
【００４１】
そして、バッテリパック５０の制御回路５２はこの未接続情報により情報処理装置１が未接続であることを検出し、電源回路５１に電力+VBATTを出力するための制御信号の出力を停止する。それにより、電源回路５１は、情報処理装置１への電力+VBATTの出力を停止する。また、バッテリパック５０側で、端子５４（情報処理装置１側の端子３５）に流れる信号BATT_PRSをローレベルに引いてもｎＭＯＳＦＥＴ４２がオフのため、情報処理装置１の制御部３２は、バッテリパック５０が未接続であると認識する。
【００４２】
以下、バッテリパック５０を情報処理装置１に装着時、未装着時及びボタン２０を押下時のそれぞれの条件における、信号SYS_PRS、信号BATT_PRS及び電力+VBATTの状態を表１に示す。
【表１】
2012133467.tif 000003
【００４３】
表１に示すように、バッテリパック５０を情報処理装置１に未装着時とボタン押下時における、信号SYS_PRS、信号BATT_PRS及び電力+VBATTの３つの状態が同じである。すなわち、ユーザによりボタン２０が押下されている間、バッテリパック５０を情報処理装置１から取り外したことと同じ状態を擬似的に作り出している。
【００４４】
すなわち、ボタン２０が押下されている間、バッテリパック５０の制御回路５２へ信号SYS_PRSを出力し、バッテリパック５０の制御回路５２をリセットする。それにより、バッテリパック５０の電源回路５１からの電力+VBATTの出力を停止させる。そして、バッテリパック５０を情報処理装置１から取り外すことなくボタン２０の押下を止めると、バッテリパック５０の電源回路５１からの電力+VBATTの出力が再開される。このように、ボタン２０を操作することにより、情報処理装置１からバッテリパック５０を取り外すことなく、バッテリパック５０を取り外して再装着したことと同様の効果を得ることが可能である。
【００４５】
（ボタン２０押下時にバッテリパック５０のみ接続）
なお、上述した実施の形態では、情報処理装置１とバッテリパック５０との間で通信を行い、バッテリパック５０側で信号SYS_PRSを、情報処理装置１側で信号BATT_PRSを検出している。しかし、情報処理装置１にバッテリパック５０だけが接続している場合は、情報処理装置１に電力を供給するのはバッテリパック５０のみである。この場合、バッテリパック５０による電力+VBATTの出力を制御すればよいので、少なくともバッテリパック５０側で信号SYS_PRSの状態を検出できればよく、情報処理装置１側で信号BATT_PRSを検出しない構成としてもよい。
【００４６】
例えば、制御部３２は情報処理装置１とバッテリパック５０間で行われる充電や放電等を制御しているので、制御部３２の動作が正常でないときには当該制御部３２のリセット（初期化）も必要である。そのため、情報処理装置１側で信号BATT_PRSの状態を検出して情報処理装置１にバッテリパック５０が接続しているか否かを認識できるようにし、接続していないと認識した場合には制御部３２のリセットを行うようにすることも可能である。また、制御回路５２はバッテリパックの充電や放電等を制御しているので、制御回路５２の動作が正常でないときには当該制御回路５２のリセット（初期化）も必要である。そのため、バッテリパック５０側で信号SYS_PRSの状態を検出してバッテリパック５０に情報処理装置１が接続しているか否かを認識できるようにし、接続していないと認識した場合には制御回路５２のリセットを行うようにすることも可能である。
【００４７】
（ボタン２０押下時にバッテリパック５０とＡＣアダプタ３８が接続）
ボタン２０を操作時にはＡＣアダプタ３８を抜いておくことが望ましいが、ユーザが間違えてＡＣアダプタ３８を情報処理装置１に指したままボタン２０の操作を行う可能性もある。すなわち、ボタン２０を押下時に、情報処理装置１にバッテリパック５０とＡＣアダプタ３８の両方が接続していることがある。この場合、情報処理装置１の制御部３２は、バッテリパック５０とＡＣアダプタ３８の双方に対して制御を行う。
【００４８】
例えば、制御回路５２はバッテリパックの充電や放電等を制御しているので、制御回路５２の動作が正常でないときには当該制御回路５２のリセット（初期化）も必要である。そのため、バッテリパック５０側で信号SYS_PRSの状態を検出してバッテリパック５０に情報処理装置１が接続しているか否かを認識できるようにし、接続していないと認識した場合には制御回路５２のリセットを行うようにすることも可能である。
【００４９】
なお、本実施の形態における電源回路３１は一例として内部に容量素子等を用いた充電回路を有する。それにより、情報処理装置１にＡＣアダプタ３８が接続されていない状態でバッテリパック５０を取り外しても、充電回路が放電することにより一定の秒数（例えば１秒）の間、電圧＋ＶＣＣの電力など必要な電力を必要な回路へ供給できる。それにより、バッテリパック５０を取り外した瞬間及びその後において電源制御回路３０が確実に動作する。それゆえ、情報処理装置１内の図示しない各ブロックが安全に動作する。
【００５０】
また、上述した実施の形態では、バッテリパック、ＨＤＤなどのドライブ類、メモリ等が情報処理装置内にまとめて収納され一つの蓋で覆われている例を説明したが、本発明を蓋が一つでない場合やビス留めしていない場合にも適用することは可能である。
【００５１】
以上、本発明は上述した各実施の形態に限定されるものではなく、特許請求の範囲に記載された本発明の要旨を逸脱しない限りにおいて、その他種々の変形例、応用例を取り得ることは勿論である。
【符号の説明】
【００５２】
１…情報処理装置、  ３…本体部、  ４…本体ユニット、  ５…蓋、  ６ａ，６ｂ…ビス、  ７…穴、  ９…蓋、  １０…凹空間、  １０ａ…バッテリ装着部、  １２…ＨＤＤ、１３…メモリ、  ２０…ボタン、２０ａ…ボタン本体、  ３０…電源制御回路、  ３１…電源回路、  ３２…制御部、  ３３〜３７…端子、  ３８…ＡＣアダプタ、  ４１，４２…スイッチング素子、  ５０…バッテリパック、  ５１…電源回路、  ５２…制御回路、５３〜５５…端子
【図１】
2012133467.tif 000004
【図２】
2012133467.tif 000005
【図３】
2012133467.tif 000006
【図４】
2012133467.tif 000007
【図５】
2012133467.tif 000008
【図６】
2012133467.tif 000009
【図７】
2012133467.tif 000010